(57)【特許請求の範囲】
【請求項１】
動画記録モードと静止画記録モードとを設定可能としておき，
動画記録モードが設定されたことに応じて，一定周期で被写体を動画撮影し，動画撮影により得られた動画像信号を記録媒体に順次記録し，
静止画記録モードが設定されたことに応じて，被写体を静止画撮影し，
上記動画撮影中に静止画記録モードが設定されたかどうかを判定し，
上記動画撮影中に静止画記録モードが設定された場合には，静止画撮影によって得られ
た静止画像信号を一旦メモリに記憶し，
動画記録処理が停止したかどうかを判定し，
動画記録処理が停止した判定したと場合に，メモリに一旦記憶された静止画像信号を上記記録媒体に記録する，
ディジタル・ビデオ・カメラの記録制御方法。
【請求項２】
被写体を撮像し，被写体像を表わす画像信号を出力する撮像手段，
動画記録モードと静止画記録モードとを設定するモード設定手段，
上記モード設定手段により動画記録モードが設定されたことに応じて，一定周期で被写
体を連続撮影するように上記撮像手段を制御するとともに，動画撮影によって得られた動画像信号を記録媒体に順次記録するように制御する動画撮影記録制御手段，
上記モード設定手段により静止画記録モードが設定されたことに応じて，被写体を静止
画撮影するように上記撮像手段を制御する静止画撮影制御手段，
上記動画撮影記録制御手段にもとづく動画撮影記録中に，上記モード設定手段によって静止画記録モードが設定されたかどうかを判定する第１の判定手段，
上記第１の判定手段により，動画撮影記録中に静止画記録モードが設定されたと判定された場合には静止画撮影によって上記撮像手段から出力された静止画像信号を一旦メモリに記憶するように制御する記憶制御手段，
動画撮影記録処理が停止したかどうかを判定する第２の判定手段，
上記第２の判定手段により動画撮影記録処理が停止したと判定された場合に，上記メモリに一旦記憶された静止画像信号を上記記録媒体に記憶する静止画記録制御手段，
を備えたディジタル・ビデオ・カメラ。
【発明の詳細な説明】
【０００１】
【技術分野】
この発明は，静止画記録および動画記録が可能なビデオ・カメラおよびその記録制御方法に関する。
【０００２】
【発明の背景】
アナログ・ビデオ・カメラ，ディジタル・ビデオ・カメラのいずれにおいても，静止画記録と動画記録との両者の記録方式が可能であることが要求される。ビデオ・カメラを用いて撮影した場合，たとえば奇数行の画素からなるフィールド画像を表わすフィールド画像データと偶数行の画素からなるフィールド画像を表わすフィールド画像データとが交互に得られる。動画記録の場合は，これらのフィールド画像データがそのままビデオ・テープに記録される。動画を再生する場合，これらのフィールド画像データが読出されインターレース走査される。静止画を再生する場合，フィールド画像データによって表わされるフィールド画像を表示すると解像度が悪く画質の悪いことが目立つため，静止画の記録時に画像データの補間などを行ない，高解像度のフレーム画像となるようにすることがある。
【０００３】
このように動画記録と静止画記録とでは異なる処理が行なわれる。このため動画記録中に，処理が異なる静止画記録が行なわれると，再生時には静止画を記録した部分のデータは不連続となり動画としてみると不自然となることがある。
【０００４】
【発明の開示】
この発明は，動画記録中に静止画撮影を行なった場合であっても自然な動画再生となるようにすることを目的とする。
【０００５】
この発明によるビデオ・カメラの記録制御方法は，動画記録モードと静止画記録モードとを設定可能としておき，動画記録モードが設定されたことに応じて，一定周期で被写体を動画撮影し，静止画記録モードが設定されたことに応じて，被写体を静止画撮影し，上記動画撮影中に静止画記録モードが設定されたかどうかを判定し，上記動画撮影中に静止画記録モードが設定された場合には，静止画撮影によって得られた静止画像信号を一旦記憶し，上記動画撮影により得られた動画像信号を記録媒体に記録したあとに上記一旦記憶された静止画像信号を上記記録媒体に記録することを特徴とする。
【０００６】
この発明は上記記録制御方法を実現するためのビデオ・カメラも提供している。すなわち，被写体を撮像し，被写体像を表わす画像信号を出力する撮像手段，動画記録モードと静止画記録モードとを設定するモード設定手段，上記モード設定手段により動画記録モードが設定されたことに応じて，一定周期で被写体を連続撮影するように上記撮像手段を制御する動画撮影制御手段，上記モード設定手段により静止画記録モードが設定されたことに応じて，被写体を静止画撮影するように上記撮像手段を制御する静止画撮影制御手段，上記動画撮影制御手段にもとづく動画撮影中に，上記モード設定手段によって静止画記録モードが設定されたかどうかを判定する判定手段，および上記判定手段により，動画撮影中に静止画記録モードが設定されたと判定された場合には静止画撮影によって上記撮像手段から出力された静止画像信号を一旦記憶し，動画撮影によって上記撮像手段から出力された動画像信号を記録媒体に記録したあとに上記記憶された静止画像信号を上記記録媒体に記録する記録制御手段を備えていることを特徴とする。
【０００７】
この発明によると，動画撮影中に静止画記録モードが設定されたかどうかが判定される。動画撮影中に静止画記録モードが設定された場合には動画像信号の記録中に静止画像信号を挿入して記録せずに，動画像信号の記録のみを続行する。静止画像信号は一旦記憶される。動画像信号の記録が終了すると，動画像信号の記録のあとに静止画像信号が記録される。
【０００８】
動画撮影中に静止画記録モードが設定された場合であっても動画像信号のみが連続して記録され，その後に静止画像信号が記録されるので，再生時において動画の連続性を妨げない。自然な動画再生が可能となる。
【０００９】
【実施例の説明】
図１はこの発明の実施例を示すもので，ディジタル・ビデオ・テープ・レコーダの電気的構成を示すブロック図である。
【００１０】
ディジタル・ビデオ・テープ・レコーダは，カメラ・コントローラ１０によって全体の動作が統括される。
【００１１】
ディジタル・ビデオ・テープ・レコーダは静止画記録と動画記録とが可能である。ディジタル・ビデオ・テープ・レコーダには静止画記録を行なうためのスチル記録設定ボタン３１，動画記録を行なうためのムービ記録設定ボタン３２および記録停止を行なうための停止ボタン３３が含まれており，これらのボタン３１，３２および３３の設定を表わす信号はカメラ・コントローラ１０に与えられる。このディジタル・ビデオ・カメラにおいては，動画記録中に静止画撮影を行なうことも可能である。
【００１２】
フォーカス・モータ５は，カメラ・コントローラ１０から与えられるフォーカシング制御信号にもとづいて撮像レンズ１１の位置決めを制御する。撮像レンズ１１によって被写体像がＣＣＤ１２の受光面上に結像する。
【００１３】
ＣＣＤ１２は，水平方向７２０  画素，垂直方向４８０  画素の約３５万画素の画素数をもつものである。ＣＣＤ１２はいわゆる２線読出し方式のものであり，奇数行の画素から得られる奇数映像信号と偶数行の画素から得られる偶数映像信号とがそれぞれ出力される。スチル記録設定ボタン３１が押されたときにはその押下げのタイミングで，ムービ記録設定ボタン３２が押されたときは１／６０秒の周期で奇数映像信号と偶数映像信号がＣＣＤ１２から出力される。
【００１４】
ＣＣＤ１２から出力される奇数映像信号および偶数映像信号はそれぞれ増幅回路１３および１４において増幅され，アナログ／ディジタル変換回路１５および１６に与えられる。奇数映像信号および偶数映像信号はアナログ／ディジタル変換回路１５および１６においてディジタルの奇数画像データおよび偶数画像データに変換されて，ＡＧＣ（自動利得調整回路）１７および１８に与えられる。ＡＧＣ１７および１８は入力する奇数画像データおよび偶数画像データのホワイト・バランス調整を行なう回路である。ＡＧＣ１７および１８において，あらかじめ定められた基準レベルとなるように奇数画像データおよび偶数画像データのホワイト・バランス調整が行なわれる。奇数画像データおよび偶数画像データはガンマ補正回路１９および２０においてガンマ補正が行なわれ色分離マトリクス回路２１に与えられる。
【００１５】
色分離マトリクス回路２１は，与えられる奇数画像データおよび偶数画像データをそれぞれＲ（赤），Ｇ（緑）およびＢ（青）の画像データに分離し，かつ分離されたＲ，ＧおよびＢの画像データから輝度データＹならびにＢ−ＹおよびＲ−Ｙの色差データＣを生成して出力する回路である。また色分離マトリクス回路２１において，静止画を再生するための水平方向７２０  画素，垂直方向４８０  画素のフレーム画像データおよびこのフレーム画像データの垂直方向の画素数が半分となる，水平方向７２０  画素，垂直方向２４０  画素の奇数および偶数のフィールド画像データがそれぞれ生成され出力される。水平方向７２０  画素，垂直方向２４０  画素のフィールド画像データは動画用の画像データである。スチル記録設定ボタン３１により静止画撮影が設定されたときには，色分離マトリクス回路２１から静止画用のフレーム画像データが出力され，ムービ記録設定ボタン３２により動画撮影が設定されたときには，色分離マトリクス回路２１から動画用のフィールド画像データが出力される。
【００１６】
色分離マトリクス回路２１から出力される動画用のフィールド画像データは切替スイッチ２４のａ端子側に与えられ，静止画用のフレーム画像データはフレーム・メモリ２３に与えられる。フレーム・メモリ２３は，メモリ・コントローラ２２の制御のもとに画像データの書込みおよび読出しが制御される。フレーム・メモリ２３から読出されたフィールド画像データは切替スイッチ２４のｂ端子側に与えられる。
【００１７】
切替スイッチ２４は，カメラ・コントローラ１０から与えられる切替制御信号に応じて切替えられるものでａ端子側に与えられる動画用のフィールド画像データまたはｂ端子側に与えられる静止画用のフレーム画像データのいずれかを選択する。切替スイッチ２４を通過した画像データはデータ圧縮回路２５に与えられる。データ圧縮回路２５においてデータ圧縮が施された画像データは誤り訂正符号付加回路２６に与えられ，誤り訂正符号が付加される。誤り訂正符号が付加された画像データは符号化回路２７においてハフマン符号化などの符号化処理が行なわれる。画像データは増幅回路２８において増幅され磁気ヘッド２９に与えられる。これにより水平方向７２０  画素，垂直方向４８０  画素の静止画のフレーム画像データの場合は，１／３０秒の時間をかけて磁気テープ８の連続する１０トラックに記録され，動画のフィールド画像データの場合は水平方向７２０  画素，垂直方向２４０  画素の奇数フィールド画像データと水平方向７２０  画素，垂直方向２４０  画素の偶数フィールド画像データとの２つのフィールド画像データが，１／３０秒の時間をかけて磁気テープ８の連続する１０トラックに記録される。
【００１８】
図２は動画用の画像データの記録中にスチル記録設定ボタン３１が押された場合の処理手順を示すフローチャートである。
【００１９】
ムービ記録設定ボタン３２が押されることにより１／６０秒周期で被写体が撮影され，奇数フィールドのフィールド画像データと偶数フィールドのフィールド画像データとが１／６０秒周期で交互に色分離マトリクス回路２１から得られる。ムービ記録設定ボタン３２が押されると切替スイッチ２４はａ端子側が接続され，撮影によって得られた奇数フィールドのフィールド画像データと偶数フィールドのフィールド画像データとが磁気テープ８に記録される（ステップ４１）。
【００２０】
動画記録処理中にスチル記録設定ボタン３１が押されるかどうかが監視される。動画記録処理中にスチル記録設定ボタン３１が押されなければ（ステップ４２でＮＯ），停止設定ボタン３３が押され動画記録処理が停止させられるまで動画像を表わす奇数フィールド画像データと偶数フィールド画像データの記録が続けられる。
【００２１】
動画記録処理中にスチル記録設定ボタン３１が押されると（ステップ４２でＹＥＳ  ），色分離マトリクス回路２１から出力される静止画用のフレーム画像データはフレーム・メモリ２３に与えられ一旦記憶される（ステップ４３）。切換スイッチ２４はａ端子側が接続されるように保持されており，動画記録処理中にスチル記録設定ボタン３１が押されても停止ボタン３３が押されない限り動画記録処理は続行される（ステップ４１〜４４）。
【００２２】
停止ボタン３３が押されるとフィールド画像データを磁気テープ８に記録する動画記録処理は停止する（ステップ４４でＹＥＳ  ）。動画記録処理が停止すると，動画記録処理中にスチル記録設定ボタン３１が押されフレーム・メモリ２３に静止画用のフレーム画像データが記憶されているかどうかが確認される（ステツプ４５）。フレーム・メモリ２３に静止画用のフレーム画像データが記憶されていると（ステップ４５でＹＥＳ  ），切替スイッチ２４はｂ端子側が接続されるようにカメラ・コントローラ１０によって制御される。フレーム・メモリ２３に記憶された静止画用のフレーム画像データは，メモリ・コントローラ２２の制御のもとに読出され，切替スイッチ２４，データ圧縮回路２５，誤り訂正符号付加回路２６，符号化回路２７および増幅回路２８を介して磁気ヘッド２９に与えられ磁気テープ８に記録される。フレーム・メモリ２３に記憶されている静止画用のフレーム画像データが磁気テープ８に記録されると，ディジタル・ビデオ・テープ・レコーダはスタンバイ状態となる（ステップ４７）。
【００２３】
フレーム・メモリ２３に，静止画用のフレーム画像データが記憶されていなければ（ステップ４５でＮＯ），ディジタル・ビデオ・テープ・レコーダは停止ボタン３３が押されることによりスタンバイ状態となる（ステップ４７）。
【００２４】
動画の記録処理中に，静止画の記録のためにスチル記録設定ボタン３１が押された場合であっても，動画用のフィールド画像データ中に静止画用のフレーム画像データが挿入されず，動画用のフィールド画像データの記録が終了したあとに静止画用のフレーム画像データが記録される。動画の連続性を妨げることなく静止画用の画像データを記録することができる。静止画の撮影は行なわれるので，動画記録中であっても所望のタイミングで静止画の撮影が可能である。図１に示すディジタル・ビデオ・テープ・レコーダにおいて記録された画像データは，通常のディジタル画像データの再生装置を用いて再生することができる。図１に示すディジタル・ビデオ・テープ・レコーダにおいては動画の記録処理中にスチル記録設定ボタン３１が押された場合には動画用のフィールド画像データが記録されたあとに静止画用のフレーム画像データが記録されるので，動画再生時に静止画が再生されることなく，動画再生後に静止画が再生される。自然な動画再生が可能となる。
【００２５】
図２に示す処理においては，動画の記録処理中にスチル記録設定ボタン３１が押された場合について説明したが，動画の記録が行なわれていないときにスチル記録設定ボタン３１が押されたときには，撮影によって得られた静止画用のフレーム画像データはフレーム・メモリ２３に記憶されることなく，フレーム・メモリ２３を通過して磁気テープ８に記録されることとなる。
【００２６】
また上述の実施例においては水平方向７２０  画素，垂直方向４８０  画素のフレーム画像を静止画とした場合について説明したが，画素数はこれらの場合に限らず，静止画をより高画質のものとし，動画をフレーム画像のものとしてもよい。その場合にはビデオ・カメラの規格に合致するように約３５万画素分のデータ量となるように画像データを分割して記録を行なうこととなろう。いずれにしても動画の記録処理中に静止画の記録のためのスチル記録設定ボタンが押されたときには，静止画の撮影はボタンの押下げのタイミングで行ない，静止画の記録は動画の記録処理後に行なうようにすればよい。
【図面の簡単な説明】
【図１】ディジタル・ビデオ・テーブ・レコーダの記録系の電気的構成を示すブロック図である。
【図２】動画記録処理中にスチル記録設定ボタンが押された場合の処理手順を示すフローチャートである。
【符号の説明】
１０  カメラ・コントローラ
１２  ＣＣＤ
２１  色分離マトリクス回路
２３  フレーム・メモリ
２４  切替スイッチ
２９  磁気ヘッド
【図１】
0003609870.tif 000002
【図２】
0003609870.tif 000003